(57)【特許請求の範囲】
【請求項１】
無線通信システムにおいてパイロットを送信する装置であって、
複数のパイロットで送信する情報の複数のセットのビットに基づいて前記複数のパイロットを含む階層的パイロット構造を生成し、前記情報の第1セットのビットに基づいて第1パイロットを生成し、前記第１セットのビットより多いビットを含む前記情報の第２セットのビットに基づいて第２のパイロットを生成し、前記情報の全てのビットに基づいて第３のパイロットを生成し、前記第１、第２及び第３のパイロットを第１、第２及び第３の時間間隔でそれぞれ送信するように構成される少なくとも１つのプロセッサを含む装置。
【請求項２】
前記第１及び第２のパイロットは前記情報の重複セットのビットを搬送する、請求項１に記載の装置。
【請求項３】
前記第１及び第２のパイロットは前記情報の非重複セットのビットを搬送する、請求項１に記載の装置。
【請求項４】
前記第１のセットは前記情報のＭ１個のビットを含み、前記第２のセットは前記第１のセットにおける前記Ｍ１個のビット及び前記情報のＭ２個の追加ビットを含む、但し、Ｍ１及びＭ２は整数である、請求項１に記載の装置。
【請求項５】
前記第２のセットは前記情報の全てのビットを含む、請求項１に記載の装置。
【請求項６】
前記情報はセクタ識別子（ＩＤ）を含む、請求項１に記載の装置。
【請求項７】
前記少なくとも１つのプロセッサは、前記パイロットで送信する前記セットのビットに基づいてパイロット毎に少なくとも１つの擬似乱数（ＰＮ）系列を生成するように、および前記パイロットに対する前記少なくとも１つのＰＮ系列に基づいて各パイロットを生成するように構成された、請求項１に記載の装置。
【請求項８】
パイロット毎に、前記少なくとも１つのプロセッサは、前記パイロットで送る前記セットのビットに基づいて少なくとも１つの擬似乱数（ＰＮ）系列を生成するように、前記少なくとも１つのＰＮ系列に基づいてパイロットシンボルを生成するように、前記パイロットに使用される副搬送波に前記パイロットシンボルをマップするように、及び前記パイロットに対するサンプル列を得るために前記マップされたパイロットシンボルを変換するように構成される、請求項１に記載の装置。
【請求項９】
前記第３のパイロットはシステム帯域幅にわたって均一に間隔があいた副搬送波で送信される、請求項１に記載の装置。
【請求項１０】
前記第１、第２及び第３のパイロットは時分割多重化（ＴＤＭ）にされ、所定時間間隔のフレームの異なるシンボル期間で送信される、請求項１に記載の装置。
【請求項１１】
前記パイロットで送る情報は、セクタ特定情報、またはシステム情報、または双方を含む、請求項１に記載の装置。
【請求項１２】
無線通信システムでパイロットを送信する方法であって、
前記パイロットで送信する情報の第１セットのビットに基づいて第１のパイロットを生成すること、
前記第１セットのビットより多いビットを含む第２セットのビットに基づいて第２のパイロットを生成すること、
前記情報の全てのビットに基づいて第３のパイロットを生成すること、
によって、前記第1のパイロット、前記第２のパイロット及び前記第３のパイロットを含む階層的パイロット構造を生成すること、
前記第１、第２及び第３のパイロットを第１、第２及び第３の時間間隔でそれぞれ送信すること、
を含む方法。
【請求項１３】
前記第１及び第２のパイロットは前記情報の重複セットのビットを搬送する、請求項１２に記載の方法。
【請求項１４】
前記第２セットは前記情報の全てのビットを含む、請求項１２に記載の方法。
【請求項１５】
前記パイロットで送信する前記セットのビットに基づいてパイロット毎に少なくとも１つの擬似乱数（ＰＮ）系列を生成すること、
前記パイロットに対する前記少なくとも１つのＰＮ系列に基づいて各パイロットを生成すること、を更に含む、請求項１２に記載の方法。
【請求項１６】
無線通信システムでパイロットを送信する装置であって、
前記パイロットで送信する情報の第１セットのビットに基づいて第１のパイロットを生成する手段と、
前記第１セットのビットより多いビットを含む第２セットのビットに基づいて第２のパイロットを生成する手段と、
前記情報の全てのビットに基づいて第３のパイロットを生成する手段と、
を備え、前記第1のパイロット、前記第２のパイロット及び前記第３のパイロットを含む階層的パイロット構造を生成する手段と、
前記第１、第２及び第３のパイロットを第１、第２及び第３の時間間隔でそれぞれ送信する手段と、
を含む、装置。
【請求項１７】
前記第１及び第２のパイロットは前記情報の重複セットのビットを搬送する、請求項１６に記載の装置。
【請求項１８】
前記第２セットは前記情報の全てのビットを含む、請求項１６に記載の装置。
【請求項１９】
前記パイロットで送信する前記セットのビットに基づいてパイロット毎に少なくとも１つの擬似乱数（ＰＮ）系列を生成する手段と、
前記パイロットに対する前記少なくとも１つのＰＮ系列に基づいて各パイロットを生成する手段と、をさらに含む請求項１６に記載の装置。
【請求項２０】
記憶した命令を含むプロセッサ可読記憶媒体であって、
パイロットで送信する情報の第１セットのビットに基づいて第１のパイロットを生成するための命令と、
前記第１セットのビットより多いビットを含む第２セットのビットに基づいて第２のパイロットを生成するための命令と、
前記情報の全てのビットに基づいて第３のパイロットを生成するための命令と、
を備え、前記第1のパイロット、前記第２のパイロット及び前記第３のパイロットを含む階層的パイロット構造を生成するための命令と、
前記第１、第２及び第３のパイロットを第１、第２及び第３の時間間隔でそれぞれ送信するための命令と、
を含む、プロセッサ可読媒体。
【請求項２１】
前記第１及び第２のパイロットは前記情報の重複セットのビットを搬送する、請求項２０に記載のプロセッサ可読媒体。
【請求項２２】
前記第２セットは前記情報の全てのビットを含む、請求項２０に記載のプロセッサ可読媒体。
【請求項２３】
無線通信システムでパイロットを受信する装置であって、
第１、第２及び第３のパイロットを備える階層的パイロット構造を第１、第２及び第３の時間間隔でそれぞれ受信するように、及び前記第１、第２及び第３のパイロットのための検出を行うように構成される少なくとも１つのプロセッサを含み、前記第１、第２及び第３のパイロットは前記パイロットで送信される情報の第１、第２及び第３セットのビットをそれぞれ搬送し、前記第２セットのビットは前記第１セットのビットより多いビットを含み、前記第３セットのビットは前記パイロットで送信される前記情報の全てのビットを含む、装置。
【請求項２４】
前記少なくとも１つのプロセッサは、前記第１のパイロットで送られた前記第１セットのビットに対する第１の検出値を得るために前記第１のパイロットの検出を実行するように、および前記第２のパイロットで送信された前記第２セットのビットに対する第２の検出値を得るために前記第１の検出値に基づいて前記第２のパイロットの検出を行うように構成される、請求項２３に記載の装置。
【請求項２５】
前記少なくとも１つのプロセッサは、前記第１のパイロットで送られた前記第１セットのビットに対する第１の検出値を得るために前記第１のパイロットの検出を実行するように、前記第２のパイロットで送られた前記第２セットのビットに対する第２の検出値を得るために前記第１の検出値に基づいて前記第２のパイロットの検出を実行するように、前記第１及び第２の検出値に基づいて前記第３のパイロットの検出を行うように構成され、前記第２セットのビットは前記第１セットのビットを含む、請求項２３に記載の装置。
【請求項２６】
前記少なくとも１つのプロセッサはもしあれば、先に検出されたパイロットに対する検出値に基づいてパイロット毎に検出を行うように構成される、請求項２３に記載の装置。
【請求項２７】
前記第１のパイロットについて、前記少なくとも１つのプロセッサは、前記第１のパイロットに対する複数の仮説の値の各々に対して検出基準値を決定するように、前記第１のパイロットで送られる前記第１セットのビットに対する第１の検出値として最大検出基準値と関連する仮説の値を提供するように構成される、請求項２３に記載の装置。
【請求項２８】
前記第２のパイロットに対して、前記少なくとも１つのプロセッサは、前記第２のパイロットに対する複数の仮説の値の各々に対して検出基準値を決定するように構成され、前記第２のパイロットに対する各仮説の値は前記第１のパイロットに対する前記第１の検出値の第１の部分と前記第２のパイロットで送信される少なくとも１つの追加ビットに対する未知の値の第２の部分を含み、前記第２のパイロットで送信される前記第２セットのビットに対する第２の検出値として前記第２のパイロットに対する最大検出基準値と関連する仮説の値を提供するように構成される、請求項２７に記載の装置。
【請求項２９】
パイロット毎に、前記少なくとも１つのプロセッサは、前記パイロットに対する取得サンプルに基づいて雑音推定値を導出するように、前記パイロットに対する複数の仮説の値に対して複数の擬似乱数（ＰＮ）系列を生成するように、前記複数の仮説の値に対するデスクランブルされたサンプルの複数の系列を得るために前記取得サンプルを前記複数のＰＮ系列に基づいてデスクランブルするように、デスクランブルされたサンプルの前記複数の系列および前記雑音推定値に基づいて前記複数の仮説の値についての複数の検出基準値を導出するように、および最大検出基準値に関係する仮説の値を前記パイロットで送られた前記セットのビットに対する検出値として提供するように構成された、請求項２３に記載の装置。
【請求項３０】
前記少なくとも１つのプロセッサは、前記第１のパイロットからタイミング情報を取得するように構成される、請求項２３に記載の装置。
【請求項３１】
前記少なくとも１つのプロセッサは、前記第１及び第２のパイロットからセクタ識別子（ＩＤ）を取得するように構成された、請求項２３に記載の装置。
【請求項３２】
無線通信システムでパイロットを受信する方法であって、
第１、第２及び第３のパイロットを備える階層的パイロット構造を第１、第２及び第３の時間間隔でそれぞれ受信すること、
前記第１、第２及び第３のパイロットの検出を実行すること、
を含み、前記第１、第２及び第３のパイロットは前記パイロットで送信される情報の第１、第２及び第３セットのビットをそれぞれ搬送し、第２セットのビットが前記第１セットのビットより多いビットを含み、前記第３セットのビットは前記パイロットで送信される前記情報の全てのビットを含む、方法。
【請求項３３】
前記検出を実行することは、
前記第１のパイロットで送られた前記第１セットのビットに対する第１の検出値を得るために前記第１のパイロットの検出を実行することと、
前記第２のパイロットで送信される前記第２セットのビットに対する第２の検出値を得るために前記第１の検出値に基づいて前記第２のパイロットの検出を実行すること、を含む、請求項３２の方法。
【請求項３４】
前記検出を実行することは、
前記第１のパイロットで送られた前記第１セットのビットに対する第１の検出値を得るために前記第１のパイロットの検出を実行することと、
前記第２のパイロットで送られた前記第２セットのビットに対する第２の検出値を得るために前記第１の検出値に基づいて前記第２のパイロットの検出を実行することと、
前記第１および第２の検出値に基づいて前記第３のパイロットの検出を実行することと、を含み、前記第２セットのビットは前記第１セットのビットを含む、請求項３２に記載の方法。
【請求項３５】
前記検出を実行することは、
前記第１のパイロットに対する複数の仮説の値の各々について検出基準値を決定することと、
最大検出基準値に関連する仮説の値を前記第１のパイロットで送られた前記第１セットのビットに対する検出値として提供することとを含む、請求項３２に記載の方法。
【請求項３６】
無線通信システムでパイロットを受信する装置であって、
第１、第２及び第３のパイロットを備える階層的パイロット構造を第１、第２及び第３の時間間隔でそれぞれ受信するための手段と、
前記第１、第２及び第３のパイロットの検出を実行するための手段と、を具備し、
前記第１、第２及び第３パイロットは前記パイロットで送信された情報の第１、第２及び第３セットのビットをそれぞれ搬送し、前記第２セットのビットは前記第１セットのビットより多いビットを含み、前記第３セットのビットは前記パイロットで送信される前記情報の全てのビットを含む、装置。
【請求項３７】
前記検出を実行するための手段は、
前記第１のパイロットで送られた前記第１セットのビットに対する第１の検出値を得るために前記第１のパイロットの検出を実行するための手段と、
前記第２のパイロットで送信された前記第２セットのビットに対する第２の検出値を得るために前記第１の検出値に基づいて前記第２のパイロットの検出を実行するための手段と、を含む、請求項３６に記載の装置。
【請求項３８】
前記検出を実行するための手段は、
前記第１のパイロットで送られた前記第１セットのビットに対する第１の検出値を得るために前記第１のパイロットの検出を実行するための手段と、
前記第２のパイロットで送られた前記第２セットのビットに対する第２の検出値を得るために前記第１の検出値に基づいて前記第２のパイロットの検出を実行するための手段と、
前記第１及び第２の検出値に基づいて前記第３のパイロットの検出を実行するための手段と、
を含み、前記第２セットのビットは前記第１セットのビットを含む、請求項３６に記載の装置。
【請求項３９】
前記検出を実行するための手段は、
前記第１のパイロットに対する複数の仮説の値の各々について検出基準値を決定するための手段と、
最大検出基準値に関連する仮説の値を前記第１のパイロットで送られた前記第１セットのビットに対する検出値として提供するための手段とを含む、請求項３６に記載の装置。
【請求項４０】
記憶した命令を含むプロセッサ可読記憶媒体であって、
第１、第２及び第３のパイロットを備える階層的パイロット構造を第１、第２及び第３の時間間隔にそれぞれ受信するための命令と、
前記第１、第２及び第３のパイロットの検出を実行するための命令と、
を含み、前記第１、第２及び第３パイロットは前記パイロットで送信された情報の第１、第２及び第３セットのビットをそれぞれ搬送し、前記第２セットのビットは前記第１セットのビットより多いビットを含み、前記第３セットのビットは前記パイロットで送信される前記情報の全てのビットを含む、プロセッサ可読記憶媒体。
【発明の詳細な説明】
【技術分野】
【０００１】
本出願は、本譲受人に譲渡され、ここに参照として組み込まれる２００６年６月１３日出願の米国仮出願番号60/813,483、名称”HANDOFF SELECTION FOR WIRELESS COMMUNICATION SYSTEMS”（「無線通信システムのためのハンドオフの選択」）に対する優先権を主張する。
【０００２】
本開示は、一般に通信に関する。より詳細には、無線通信システムのための捕捉技術に関する。
【背景技術】
【０００３】
無線通信システムは、音声、ビデオ、パケットデータ、メッセージ伝送、放送のような種々の通信サービスを提供するために広く展開される。これらのシステムは利用可能な資源を共有して複数のユーザに対する通信をサポートすることができる多重接続システムであるかもしれない。そのような多重接続システムの例は符号分割多重接続（ＣＤＭＡ）システム、時分割多重接続（ＴＤＭＡ）システム、周波数分割多重接続（ＦＤＭＡ）システム、直交ＦＤＭＡ（ＯＦＤＭＡ）システム、および単一搬送波ＦＤＭＡ（ＳＣ-ＦＤＭＡ）システムを含む。
【０００４】
無線通信システムは多くの端末に対する通信をサポートする多くの基地局を含むかもしれない。端末（例えば携帯電話）は任意の時にゼロ、１または複数の基地局のカバレッジ内にあるかもしれない。その端末は、電源投入直後かもしれないし、またはカバレッジから離れた後かもしれない。従ってどの基地局を受信できるかが分からないかもしれない。端末は基地局を検出し、その検出された基地局のタイミングおよび他の情報を取得するための捕捉を実行するかもしれない。端末は、検出された基地局を通じてシステムにアクセスするために取得した情報を用いるかもしれない。
【０００５】
各基地局は端末が捕捉を実行することを支援するための伝送信号を送るかもしれない。これらの伝送信号は、オーバヘッドを記述し、可能な限り効率的に送られるべきである。さらに、伝送信号は端末ができるだけ素早くかつ頑健に捕捉を実行することができるようにすべきである。
【発明の開示】
【発明の概要】
【０００６】
時分割多重（ＴＤＭ）パイロットでセクタ／システム情報を基地局によって送るための技術をここに説明する。また、ＴＤＭパイロットからセクタ／システム情報を端末によって取得するための技術についても説明する。１態様において、セクタ／システム情報は階層的パイロット構造を用いてＴＤＭパイロットで送られる。この階層的パイロット構造において、セクタ／システム情報のための複数セットのビットが複数のＴＤＭパイロットで送られるかもしれない。また与えられたＴＤＭパイロットで送られたビットのセットは１つ以上の先行のＴＤＭパイロットで送られたビットを含むかもしれない。階層的パイロット構造は、比較的多くのビットがセクタ／システム情報のために送られることを可能にしながら、端末に対して捕捉の複雑さを軽減し、検出性能を改善するかもしれない。
【０００７】
３レベルの階層的パイロット構造の１設計において、基地局はセクタ／システム情報に対するビットの第１のセットに基づいて第１のＴＤＭパイロットを生成するかもしれない。基地局はセクタ／システム情報に対するビットの第２のセットであって第１のセットを含むセットに基づいて第２のＴＤＭパイロットを生成するかもしれない。基地局はセクタ／システム情報のすべてのビットに基づいて第３のＴＤＭパイロットを生成するかもしれない。基地局は第１、第２および第３のＴＤＭパイロットを、周期的に送信されるプリアンブル内の第１、第２および第３の期間にそれぞれ送るかもしれない。
【０００８】
端末は、第１のＴＤＭパイロットで送られたビットの第１のセットに対する第１の検出値を得るために第１のＴＤＭパイロットの検出を実行するかもしれない。端末は第２のＴＤＭパイロットで送られる第２のセットのビットに対する第２の検出値を得るために、第１の検出値に基づいて第２のＴＤＭパイロットの検出を実行するかもしれない。端末は第３のＴＤＭパイロットで送られたセクタ／システム情報のすべてのビットに対する第３の検出値を得るために、第１および第２の検出値に基づいて第３のＴＤＭパイロットの検出を実行するかもしれない。
【０００９】
２レベルの階層的パイロット構造および非階層的パイロット構造を以下に説明する。本開示の種々の態様と特徴もより詳細に以下に説明する。
【詳細な説明】
【００１０】
図１に複数の基地局１１０および複数の端末１２０を備える無線通信システム１００を示す。基地局は、端末と交信する局である。基地局は、アクセスポイント、ノードＢ、新ノードＢ（ｅＮｏｄｅＢ）、等を呼ばれるかもしれないし、またそれらの機能のいくつかまたはすべてを含むかもしれない。各基地局１１０は特定の地理的エリア１０２へ通信カバレッジを提供する。用語「セル」はこの用語が用いられる文脈に従って、基地局および／またはそのカバレッジエリアを指すことがある。システム容量を改良するために、基地局のカバレッジエリアは複数のより小さいエリア、例えば３つのより小さいエリア１０４ａ、１０４ｂおよび１０４ｃに分割されるかもしれない。より小さい領域の各々はそれぞれの基地局（ＢＴＳ）のサービスを受ける。用語「セクタ」はその用語が用いられる文脈に従ってＢＴＳおよび／またはそのカバレッジエリアを指すことがある。セクタ化されたセルにおいて、そのセルのすべてのセクタに対する複数のＢＴＳはそのセルに対する基地局内に通常は共同設置される。ここに説明する技術は、非セクタ化セルを備えるシステムと同様にセクタ化されたセルを備えるシステムに対しても用いられるかもしれない。明快さのために、セクタ化されたセルを備えるシステムについて本技術を以下に説明する。
【００１１】
端末１２０は通常はシステム全体にわたって分散される。また各端末は固定または移動であるかもしれない。端末は、アクセス端末、移動局、ユーザ機器、加入者ユニット、局、等とも呼ばれるかもしれないし、またそれらのいくつかまたはすべての機能を含むかもしれない。端末は携帯電話、携帯情報端末（ＰＤＡ）、無線デバイス、無線モデム、ハンドヘルドデバイス、ラップトップコンピュータ、等であるかもしれない。端末は順方向および／または逆方向リンクでゼロ、１または複数の基地局と任意の時に交信するかもしれない。順方向リンク（またはダウンリンク）は基地局から端末への通信リンクを指し、逆方向リンク（またはアップリンク）は端末から基地局への通信リンクを指す。
【００１２】
集中形アーキテクチャにおいては、システム制御器１３０は基地局１１０と接続し、これらの基地局に対して調整と制御を提供する。システム制御器１３０は単一のネットワークエンティティまたはネットワークエンティティの集合体であるかもしれない。分散形アーキテクチャにおいては、基地局１１０は必要に応じて互いに交信するかもしれない。
【００１３】
ここに説明する技術はＣＤＭＡ、ＴＤＭＡ、ＦＤＭＡ、ＯＦＤＭＡおよびＳＣ−ＦＤＭＡシステムのような種々の無線通信システムに用いられるかもしれない。ＣＤＭＡシステムは符号分割多重（ＣＤＭ）を利用し、異なる直交符号で伝送信号を送る。ＴＤＭＡシステムは時分割多重（ＴＤＭ）を利用し、異なる時間スロットで伝送信号を送る。ＦＤＭＡシステムは周波数分割多重（ＦＤＭ）を利用し、異なる副搬送波で伝送信号を送る。ＯＦＤＭＡは直交周波数分割多重（ＯＦＤＭ）を利用し、また、ＳＣ−ＦＤＭＡシステムは単一搬送波周波数分割多重（ＳＣ-ＦＤＭ）を利用する。ＯＦＤＭおよびＳＣ−ＦＤＭはシステム帯域幅を複数の直交副搬送波に分割する。これらはトーン、ビン、等とも呼ばれる。各副搬送波はデータで変調されるかもしれない。一般に、変調シンボルはＯＦＤＭを用いて周波数領域で、またＳＣ−ＦＤＭを用いて時間領域で送られる。また、これらの技術は、多重化システムの組合せ、例えば、ＣＤＭＡとＯＦＤＭ、またはＯＦＤＭとＳＣ−ＦＤＭの組合せ、等を利用する無線通信システムに用いられるかもしれない。明快さのために、順方向リンクでＯＦＤＭを利用するシステムについて本技術の若干の態様を以下に説明する。
【００１４】
システム１００は順方向リンクで基地局から端末へ送られる伝送信号にスーパーフレーム構造を利用するかもしれない。スーパーフレーム構造は種々の手法で定義されるかもしれない。また、種々のフィールドを含むかもしれない。
【００１５】
図２に順方向リンクに用いられるかもしれないスーパーフレーム構造２００の１設計を示す。この設計において、伝送タイムラインはスーパーフレームのユニットに分割される。各スーパーフレームは固定または設定可能であるかもしれない特定の時間区間にわたる。各スーパーフレームは１つのプリアンブルを含み、それにＱ個のフレームが続く。ここで一般にＱ≧１であり１設計においてはＱ＝２４である。プリアンブルは、端末が、送信基地局を捕捉し、順方向リンク制御チャンネルを受信し、および続いてシステムにアクセスすることを可能とするパイロットおよびオーバヘッド情報を搬送する。各フレームはトラヒックデータおよび／または信号を搬送するかもしれない。また、各フレームは予め定められた時間区間にわたるかもしれない。
【００１６】
図２はプリアンブルの１設計も示している。この設計において、プリアンブルは１から８のインデックスを割り当てられた８個のＯＦＤＭシンボルにわたる。１〜５のインデックスを有する最初の５個のＯＦＤＭシンボルは１つ以上の主放送チャンネル（ｐＢＣＨ）に用いられる。ｐＢＣＨは（ｉ）副搬送波の総数、ガード副搬送波の数、システム時間、等のような配置固有のパラメータに関する情報、および（ｉｉ）周波数ホッピング構造、パイロット構造、制御チャネル構造、送信アンテナ数、等のようなセクタ固有のパラメータを搬送するかもしれない。６、７および８のインデックスを有する最後の３個のＯＦＤＭシンボルはそれぞれＴＤＭパイロット１、２および３に用いられる。ＴＤＭパイロットは、セクタ／システム情報を搬送し、システムへのアクセスを試みる端末によって捕捉のために用いられるかもしれない。図２に示す設計において、ＴＤＭパイロットは各サブフレームのプリアンブル内で周期的に送られる。また、各ＴＤＭパイロットは１ＯＦＤＭシンボル期間で送られる。
【００１７】
図２は特定のスーパーフレーム構造および順方向リンクのための特定のプリアンブル構造を示している。一般に、スーパーフレームは、任意の時間区間にわたるかもしれないし、任意の数のフレームおよび他のフィールドを含むかもしれない。また、プリアンブルは、任意の時間区間にわたり、任意の数のフィールドを含むかもしれない。プリアンブルは任意の数のＴＤＭパイロット、例えば２，３，４，または他の数のＴＤＭパイロットを含むかもしれない。各ＴＤＭパイロットは任意の数のＯＦＤＭシンボル期間にわたるかもしれない。明快さのために、以下の説明では３個のＴＤＭパイロットがプリアンブル内で送られると仮定する。
【００１８】
ＴＤＭパイロット１、２および３は端末による捕捉を容易にするように設計されるかもしれない。端末は、プリアンブルの存在を検出するため、および粗いタイミングおよび周波数を取得するためにＴＤＭパイロット１を用いるかもしれない。この端末は、セクタ／システム情報を得るためにＴＤＭパイロット１、２および／または３を用いるかもしれない。
【００１９】
図３に周波数領域におけるＴＤＭパイロット１、２および３の設計を示す。この設計において、ＴＤＭパイロット１はＮ１副搬送波毎に送られ、ＴＤＭパイロット２はＮ２副搬送波毎に送られ、ＴＤＭパイロット３はＮ３副搬送波毎に送られる。ここで、Ｎ１、Ｎ２およびＮ３はそれぞれ１以上の任意の整数であるかもしれない。一例として、ｐ∈｛１，２，３｝としてＮｐはＴＤＭパイロットｐに対して２に等しいかもしれず、ＴＤＭパイロットｐは偶数または奇数いずれかのインデックスを有するＫ／２個の副搬送波で送られるかもしれない。ゼロの信号値を有するゼロシンボルはＴＤＭパイロットに用いられない副搬送波で送られるかもしれない。与えられたＴＤＭパイロットにおいて、周波数領域でパイロットシンボルをＮｐ副搬送波毎に送ることは、結果として時間領域における同じＴＤＭパイロット波形のＮｐ個の複製を生ずる。この波形はＬｐ＝Ｋ／Ｎｐ個のサンプルを含んでおり、ＴＤＭパイロットに用いられるＬｐ個の副搬送波で送られるＬｐ個のパイロットシンボルにＬｐ点高速フーリエ変換（ＦＦＴ）を実行することにより求められかもしれない。
【００２０】
一般に、各ＴＤＭパイロットを、Ｎｐ＝１の場合Ｋ個のすべての副搬送波で、またはＮｐ＞１の場合Ｋ個の副搬送波のサブセットで送られるかもしれない。複数のＴＤＭパイロットは同じ数の副搬送波で、または異なる数の副搬送波で送られるかもしれない。また、複数のＴＤＭパイロットは同じ副搬送波で、または異なる副搬送波で送られるかもしれない。
【００２１】
セクタ／システム情報はＴＤＭパイロットで送られるかもしれない。一般に、セクタ／システム情報はセクタ固有情報、システム情報、等のような任意の形式の情報を含むかもしれない。セクタ固有の情報はＴＤＭパイロットを送るセクタを識別するセクタ識別子（ＩＤ）、そのセクタに選ばれかつ端末のハンドオフを支援するために用いられる搬送波を識別する好ましい搬送波インデックス等を含むかもしれない。システム情報はシステムが同期モードまたは非同期モードで動作しているかを示すモードフラグ、巡回プレフィックス長、システム時間、等を含むかもしれない。セクタ／システム情報はセクタによって送られた順方向リンク伝送信号を受信するため、およびセクタとの交信のために用いられるかもしれない。セクタ／システム情報はＭ個のビットを含むかもしれない。ここで、一般にＭは任意の整数値であり、１設計においてＭ＝１２である。
【００２２】
１態様において、セクタ／システム情報は階層的パイロット構造を用いてＴＤＭパイロットで送られる。この階層的パイロット構造において、セクタ／システム情報のための複数セットのビットが複数のＴＤＭパイロットで送られるかもしれない。また与えられたＴＤＭパイロットで送られたビットのセットは１つ以上の先行ＴＤＭパイロットで送られたビットを含むかもしれない。階層的パイロット構造は、比較的多くのビットがセクタ／システム情報のために送られることを可能にしながら、端末に対して捕捉の複雑さを減少し、検出性能を改善するかもしれない。以下にいくつかの階層的パイロット設計について説明する。
【００２３】
図４Ａに３レベルの階層的パイロット構造４００の設計を示す。この設計において、セクタ／システム情報のＭ個のビットはＭ１個の最下位ビット（ＬＳＢ）、Ｍ２個のより上位のビット、およびＭ３個の最上位ビット（ＭＳＢ）に分割される。ここでＭ＝Ｍ１＋Ｍ２＋Ｍ３である。一般に、Ｍ、Ｍ１、Ｍ２およびＭ３はそれぞれ任意の整数値である。１設計において、Ｍ＝１２、Ｍ１＝２、Ｍ２＝６およびＭ３＝４である。Ｍ、Ｍ１、Ｍ２およびＭ３に対して他の値が用いられるかもしれない。
【００２４】
セクタ／システム情報のＭ１個のＬＳＢはＴＤＭパイロット１で送られるかもしれない。例えば、Ｍ１個のＬＳＢは擬似乱数（ＰＮ）発生器のシード値として用いられるかもしれない。次に、ＰＮ発生器からのＰＮ系列はＴＤＭパイロット１のパイロットシンボルを生成するために用いられるかもしれない。セクタ／システム情報のＭ１＋Ｍ２個のＬＳＢは、例えばＭ１＋Ｍ２個のＬＳＢをＰＮ発生器にシードし、得られたＰＮ系列を用いてＴＤＭパイロット２に対するパイロットシンボルを生成することにより、ＴＤＭパイロット２で送られるかもしれない。セクタ／システム情報のすべてのＭ個のビットは、例えばすべてのＭ個のビットをＰＮ発生器にシードし、得られたＰＮ系列を用いてＴＤＭパイロット３に対するパイロットシンボルを生成することにより、ＴＤＭパイロット３で送られるかもしれない。このようにＴＤＭパイロット１、２および３はセクタ／システム情報の異なる部分で生成された異なるＰＮ系列によって「スクランブル」されるかもしれない。ここで各部分はセクタ／システム情報のいくつかまたはすべてを含むかもしれない。
【００２５】
図３に示すように、ＴＤＭパイロット１はＮ１副搬送波毎に送られるかもしれない。この場合、ＴＤＭパイロット１について同じ波形のＮ１個の複製が送られるかもしれない。巡回プレフィックス（ＣＰ）が第１の複製波形の前に追加されるかもしれない。ＴＤＭパイロット２はＮ２副搬送波毎に送られるかもしれない。この場合、ＴＤＭパイロット２について同じ波形のＮ２個の複製が送られるかもしれない。ＴＤＭパイロット３はＮ３副搬送波毎に送られるかもしれない。この場合、ＴＤＭパイロット３について同じ波形のＮ３個の複製が送られるかもしれない。各波形は複素値のサンプルの特定の系列であるかもしれない。
【００２６】
Ｍ＝１２の１設計において、ＴＤＭパイロット１はＭ１＝２ビットの情報でスクランブルされ、候補となる４個の値を取るかもしれない。また、ＴＤＭパイロット２はＭ１＋Ｍ２＝８ビットの情報でスクランブルされ、候補となる２５６個の値を取るかもしれない。さらにＴＤＭパイロット３はＭ＝１２ビットの情報でスクランブルされ、候補となる４，０９６個の値を取るかもしれない。端末はＴＤＭパイロット１を処理し、ＴＤＭパイロット１の４つの候補値の１つを検出するかもしれない。次に、端末はＴＤＭパイロット２を処理し、ＴＤＭパイロット１の検出値Ｖ１に関連する６４個の候補値の１つを検出するかもしれない。次に、端末はＴＤＭパイロット３を処理し、ＴＤＭパイロット１および２について検出されたそれぞれの値Ｖ１およびＶ２に関係する１６個の候補値の１つを検出するかもしれない。３段階で捕捉を実行することにより、端末は１２ビットのセクタ／システム情報の４，０９６の候補値の１つを、僅か８４個の仮説を検査することで検出できる。この８４個の仮説は、ＴＤＭパイロット１に対する４個の仮説、ＴＤＭパイロット２に対する６４個の仮説、ＴＤＭパイロット３に対する１６個の仮説を含む。階層的パイロット構造により、捕捉の複雑さは大きく減少されるかもしれない。
【００２７】
図４Ｂに２レベルの階層的パイロット構造４１０の設計を示す。この設計において、セクタ／システム情報のＭ個のビットはＭａ個のＭＳＢおよび、Ｍｂ個のＬＳＢに分割される。ここでＭ＝Ｍａ＋Ｍｂである。一般に、Ｍ、ＭａおよびＭｂはそれぞれ任意の整数値である。ＴＤＭパイロット１は、いかなるセクタ／システム情報も伴わずに送られ、システム内のすべてのセクタに共通であるかもしれない。セクタ／システム情報のＭａ個のＭＳＢは、例えばＭａ個のＭＳＢをＰＮ発生器にシードし、得られたＰＮ系列を用いてＴＤＭパイロット２に対するパイロットシンボルを生成することにより、ＴＤＭパイロット２で送られるかもしれない。セクタ／システム情報のすべてのＭ個のビットは、例えばすべてのＭ個ビットをＰＮ発生器にシードし、得られたＰＮ系列を用いてＴＤＭパイロット３に対するパイロットシンボルを生成することにより、ＴＤＭパイロット３で送られるかもしれない。
【００２８】
端末はプリアンブル検出、および粗いタイミングと周波数の取得のためにＴＤＭパイロット１を処理するかもしれない。次に、端末はＴＤＭパイロット２を処理し、ＴＤＭパイロット２の
【数１】
0005579434.tif 000002
【００２９】
個の候補値の１つを検出するかもしれない。次に、端末はＴＤＭパイロット３を処理し、ＴＤＭパイロット２の検出値Ｖａに関係する
【数２】
0005579434.tif 000003
【００３０】
個の候補値の１つを検出するかもしれない。２段階で捕捉を実行することにより、端末はセクタ／システム情報に対する
【数３】
0005579434.tif 000004
【００３１】
個の候補値の１つを、僅か
【数４】
0005579434.tif 000005
【００３２】
個の仮説を検査することで検出できる。
【００３３】
図４Ａおよび４Ｂに示す階層的パイロット設計において、セクタ／システム情報が埋め込まれている各ＴＤＭパイロットは、（ｉ）先行ＴＤＭパイロットで送られたすべての情報ビットがある場合はそれらと（ｉｉ）先行ＴＤＭパイロットで送られなかった追加情報ビットを搬送する。別の設計において、ＴＤＭパイロット１でＭ１個のビットが送られ、ＴＤＭパイロット２でＭ２個のビットが送られ、ＴＤＭパイロット３ですべてのＭ個のビットが送られる。さらに別の設計において、ＴＤＭパイロット１でＭ１個のビットが送られ、ＴＤＭパイロット２でＭ１およびＭ２個のビットが送られ、ＴＤＭパイロット３でＭ２およびＭ３個のビットが送られる。他の種々の階層的パイロット設計も可能である。一般に、階層的パイロットにおいて、セクタ／システム情報の少なくとも１つのビットは複数のＴＤＭパイロットで送られ、少なくとも１つのＴＤＭパイロットは先行ＴＤＭパイロットで送られた少なくとも１つのビットを搬送する。
【００３４】
階層的パイロットは誤り検出の尤度を減少させることによって、検出性能を改良するかもしれない。例えば、図４Ａの設計において、干渉セクタは所望のセクタと同じＭ２個のビットを有するかもしれないが、異なるＭ１個のビットを有するかもしれない。この場合、ＴＤＭパイロット２でＭ１およびＭ２個のビットが送られると、干渉セクタはＭ２個のビットには合致するが、Ｍ１個のビットには合致しないのに対して、希望のセクタだけはＭ１およびＭ２個のビット双方に合致する故、干渉セクタは除去されるかもしれない。
【００３５】
セクタ／システム情報は非階層的パイロット構造でも送られるかもしれない。非階層的パイロット構造において、セクタ／システム情報の各ビットはただ１つのＴＤＭパイロットで送られる。その結果、ＴＤＭパイロットはセクタ／システム情報のビットの非重複セットを搬送する。
【００３６】
図４Ｃに３レベルの非階層的パイロット構造４２０の設計を示す。この設計において、セクタ／システム情報のＭ１個のＬＳＢがＴＤＭパイロット１で送られるかもしれない。セクタ／システム情報のＭ２個のより上位ビットはＴＤＭパイロット２で送られるかもしれない。セクタ／システム情報のＭ３個のＭＳＢはＴＤＭパイロット３で送られるかもしれない。
【００３７】
図４Ａ、４Ｂおよび４Ｃは階層的および非階層的パイロット構造のいくつかの例示的設計を示している。他の種々のパイロット構造も定義されるかもしれない。一般に、パイロット構造は任意の数のレベルを含むかもしれない。また、セクタ／システム情報のビットのいかなるセットも各ＴＤＭパイロットで送られるかもしれない。
【００３８】
上述の設計において、セクタ／システム情報のビットのいくつかまたはすべてはＰＮ系列を生成するために用いられるかもしれない。この系列は次に、ＴＤＭパイロットのパイロットシンボルを生成するために用いられるかもしれない。また、セクタ／システム情報は他の手法でＴＤＭパイロットで送られるかもしれない。一般に、セクタ／システム情報を、各セクタに対するＴＤＭパイロットが他のセクタにはランダムに見えるような手法で送ることが望ましいかもしれない。これはセクタ間干渉をランダム化するかもしれず、検出特性を改良するかもしれない。
【００３９】
図５に基地局１１０および端末１２０の設計のブロック図を示す。これらは図１の基地局および端末の１つであるかもしれない。簡単さのために、図５には順方向リンクにおける送信のための処理ユニットだけを示す。さらに簡単さのために、基地局１１０および端末１２０はそれぞれ単一のアンテナを備えている。
【００４０】
基地局１１０において、ＴＸパイロットプロセッサ５１０はセクタ／システム情報に基づいてＴＤＭパイロットのパイロットシンボルを生成する。ここに用いられる場合、パイロットシンボルはパイロット用シンボル、データシンボルはデータ用のシンボル、ゼロシンボルはゼロの信号値を有するシンボルであり、シンボルは通常は複素値である。データおよびパイロットシンボルはＰＳＫ、ＱＡＭ等の変調方式による変調シンボルであるかもしれない。パイロットは、通常、送信機および受信機の双方には先験的に既知のデータである。しかし、パイロットシンボルは受信機には先験的に知られていないセクタ／システム情報を埋め込まれているかもしれない。ＴＸデータプロセッサ５２０は、トラヒックデータおよび信号データを入力し、入力データを処理し、データシンボルを出力する。変調器（ＭＯＤ）５２２は、（例えば、ＯＦＤＭのために）データおよびパイロットシンボルの変調を実行し、出力サンプルを出力する。送信機（ＴＭＴＲ）５２４は、出力サンプルを処理（例えば、アナログへ変換、増幅、フィルタリング、およびアップコンバージョン）し、順方向リンク信号を生成する。これはアンテナ５２６を介して送信される。
【００４１】
端末１２０において、アンテナ５５２は基地局１１０からの順方向リンク信号を受信し、受信機（ＲＣＶＲ）５５４へ受信信号を出力する。受信機５５４は受信信号を処理（例えば、フィルタリング、増幅、ダウンコンバージョン、およびディジタル化）し、受信サンプルを出力する。捕捉プロセッサ５６０はＴＤＭパイロットに基づいて捕捉を実行しタイミング、周波数、およびセクタ／システム情報を出力する。復調器（ＤＥＭＯＤ）５７０はデータシンボル推定値を得るために（例えば、ＯＦＤＭの）受信サンプルに復調を実行する。受信（ＲＸ）データプロセッサ５７２は、ＴＸデータプロセッサ５２０による処理に相補的な手法でデータシンボル推定値を処理し復号データを出力する。
【００４２】
制御器５３０および５８０はそれぞれ基地局１１０および端末１２０における動作を指示する。メモリー５３２および５８２はそれぞれ基地局１１０および端末１２０用のプログラムコードおよびデータを格納する。
【００４３】
図６に図５の基地局１１０のＴＸパイロットプロセッサ５１０および変調器５２２の１設計のブロック図を示す。プロセッサ５１０内において、ユニット６１２はセクタに関するセクタ／システム情報と、ＴＤＭパイロット１、２または３が送られているかどうかを示すＴＤＭパイロットインデックスとを入力する。１設計において、ユニット６１２はセクタ／システム情報をそのまま出力する。この設計において、ＴＤＭパイロットは静的でありスーパーフレーム毎に変化しない。別の設計において、ユニット６１２はシステム時間、例えばスーパーフレームインデックスに基づいてセクタ／システム情報を変える。この設計において、ＴＤＭパイロットはスーパーフレーム毎に変化する。これはＴＤＭパイロットによる干渉をランダム化するかもしれない。この設計において、与えられたセクタｙにある端末は他のセクタからのＴＤＭパイロットに帰因するランダム化された干渉を観測するかもしれない。これにより、その端末が、セクタｙからのＴＤＭパイロットに対して、セクタｙからの弱いプリアンブルを検出するために１より多いスーパーフレームにわたって相関の実行をすることを可能とするかもしれない。
【００４４】
いずれにしても、ユニット６１２はＴＤＭパイロットｐに対するセクタ／システム情報のＭｐ個のビットを出力する。ここでｐ∈｛１，２，３｝、０≦Ｍｐ≦Ｍである。図４Ａに示す設計において、ユニット６１２はＴＤＭパイロット１に対するセクタ／システム情報のＭ１個のＬＳＢ、ＴＤＭパイロット２に対するセクタ／システム情報のＭ１＋Ｍ２個のＬＳＢ、ＴＤＭパイロット３に対するセクタ／システム情報のすべてのＭ個のビットを出力する。図４Ｂに示す設計において、ユニット６１２はＴＤＭパイロット１に対するゼロビット、ＴＤＭパイロット２に対するセクタ／システム情報のＭａ個のＭＳＢ、およびＴＤＭパイロット３に対するセクタ／システム情報のすべてのＭ個のビットを出力する。ユニット６１２は他の設計のＴＤＭパイロットに対する情報ビットの他のセットを出力するかもしれない。
【００４５】
ＰＮ発生器６１４はユニット６１２から入力したＭｐ個の情報ビットに基づいてＴＤＭパイロットｐに対するＰＮ系列を生成する。スクランブラ６１６はＰＮ発生器６１４から入力したＰＮ系列に基づいてＴＤＭパイロットｐに対するパイロットシンボルを生成する。スクランブラ６１６はＰＮ系列のビットに基づいてＢビットの複数グループを形成し、Ｂビットの各グループを変調方式の変調シンボルへマッピングし、そのＢビットのグループに対する変調シンボルをＴＤＭパイロットｐに対するパイロットシンボルとして出力するかもしれない。ＢはＢＰＳＫに対しては１、ＱＰＳＫに対しては２、等であるかもしれない。スクランブラ６１６は、パイロットシンボルを生成するために既知の変調シンボルをＰＮ系列でスクランブルするかもしれない。シンボルから副搬送波へのマッパ６１８はＴＤＭパイロットｐに対するパイロットシンボルをＴＤＭパイロットｐに用いられる副搬送波へマッピングし、ゼロシンボルを残余の副搬送波にマッピングし、さらにＫ個の全副搬送波に対するＫ個の出力シンボルを変調器５２２へ出力する。
【００４６】
変調器５２２内において、マルチプレクサ（Ｍｕｘ）６２２はＴＸパイロットプロセッサ５１０およびＴＸデータプロセッサ５２０から出力シンボルを入力し、ＴＤＭパイロット期間にプロセッサ５１０からの出力シンボルを出力し、他の期間にはプロセッサ５２０からの出力シンボルを出力する。各ＯＦＤＭシンボル期間において、ＩＦＦＴユニット６２４はＫ個の全副搬送波に対するＫ個の出力サンプルにＫ点ＩＦＦＴを実行し、Ｋ個の時間領域サンプルを得る。パイロットシンボルが例えば、図３、４Ａ、４Ｂおよび４Ｃに示すように等間隔の副搬送波にマッピングされている場合、このＫ個のサンプルは１つの波形の複数の複製を含むかもしれない。ユニット６２６は、最後のＣ個のサンプルを複製しこれらのＣ個の複製サンプルをＫ個のサンプルの前に追加することにより、Ｋ個のサンプルに巡回プレフィックスを追加する。ここで、Ｃは巡回プレフィックス長である。  
【００４７】
端末１２０は種々の手法でＴＤＭパイロットに基づく捕捉を実行するかもしれない。受信機５５４からの受信サンプルは以下のように表される。
【００４８】
ｒｉ＝ｘｉ＋ｎｉ                    式（１）
ここで、ｘｉは、サンプル期間ｉに基地局１１０によって送られたサンプル、
ｒｉは、サンプル期間ｉに端末１２０で受信されたサンプル、
ｎｉは、サンプル期間ｉ内の雑音である。
【００４９】
例えば、図４Ａおよび４Ｂに示すように、ＴＤＭパイロット１に対して同じ波形の複数の複製が送られるかもしれない。この場合、端末１１０は以下のようにＴＤＭパイロット１を検出するために遅延相関を実行するかもしれない。
【数５】
0005579434.tif 000006
【００５０】
ここで、Ｃｉはサンプル期間ｉに関する遅延相関の結果、
Ｌ１はＴＤＭパイロット１の波形の長さであり、
「＊」は共役複素数を表す。
【００５１】
（２）式の遅延相関は、チャネル推定値を必要とせずに無線チャネルの影響を除去し、さらにＴＤＭパイロット１の波形の長さにわたって受信エネルギーをコヒーレントに結合する。スライディング遅延相関は各サンプル期間ｉに関する遅延相関結果Ｃｉを得るために実行されるかもしれない。ＣｉはＴＤＭパイロット１を検出するためにしきい値Ｃｔｈと比較されるかもしれない。例えば、ＣｉがＣｔｈを超えており、かつＬ１の予め定められた割合でＣｔｈより大きいままである場合、ＴＤＭパイロット１が宣言されるかもしれない。Ｃｉの値が最大になるサンプル期間はＴＤＭパイロット１の位置の指標である粗タイミングとして出力されるかもしれない。
【００５２】
粗周波数誤差推定値Δｆは次式のように導かれるかもしれない。
【数６】
0005579434.tif 000007
【００５３】
ここで、Ｔｓａｍｐｌｅは１サンプル期間である。値
【数７】
0005579434.tif 000008
【００５４】
はサンプル
【数８】
0005579434.tif 000009
【００５５】
からＬ１サンプル期間遅いｒｉ−ｊへの移相量を与える。（３）式における総和はＬ１サンプル期間にわたる平均移相量を与える。２πＬ１・Ｔｓａｍｐｌｅによる除算は１サンプル当たりの周波数誤差推定値を与える。単位はラジアン。
【００５６】
周波数誤差推定値Δｆは受信機５５４による周波数ダウンコンバージョンに用いられる局部発振器（ＬＯ）の周波数を調整するために用いられるかもしれない。また、受信機５５４からの受信サンプルは周波数誤差を除去するためにΔｆだけ回転されるかもしれない。周波数誤差は他の手法でも除去されるかもしれない。
【００５７】
粗タイミングの取得後に、セクタ／システム情報を搬送する第１のＴＤＭパイロットは、そのＴＤＭパイロットの波形の少なくとも１つの複製を得るために、取得されるかもしれない。この第１のＴＤＭパイロットは、図４Ａに示す設計のＴＤＭパイロット１であり、図４Ｂに示す設計のＴＤＭパイロット２である。検出されるＴＤＭパイロットは以下の説明においてＴＤＭパイロットｐと呼ばれる。ここでｐ∈｛１，２，３｝である。ＴＤＭパイロットｐは同じ波形のＮｐ個の複製を含み、その波形はＬｐ個のサンプルを含む。ＴＤＭパイロットｐで送られた情報ビットを検出するために、最大Ｎｐ個の波形の複製が取得され処理される。例えば、ＴＤＭパイロットｐが波形の２つの複製を有する場合、ＴＤＭパイロットｐは、検出されたＯＦＤＭシンボルの境界から約１／４ＯＦＤＭシンボル期間と、波形の１つの完全な複製に対するＫ／２の取得サンプルを得るために、１／２ＯＦＤＭシンボル期間にわたりサンプルされるかもしれない。簡単さのために、以下の説明では、ＴＤＭパイロットｐの波形の１つの複製が取得され処理されると仮定する。
【００５８】
雑音推定値σ２はＴＤＭパイロットｐに対するＬｐ個の取得されたサンプルに基づいて以下のように導出されるかもしれない。
【数９】
0005579434.tif 000010
【００５９】
ここで、ｒｊはＴＤＭパイロットｐに対するｊ番目の取得されたサンプルである。
【００６０】
セクタ／システム情報のＭｐ個のビットはＴＤＭパイロットｐで送られるかもしれない。ＴＤＭパイロットｐで送られたＭｐ個のビットの値を決定するために、ＴＤＭパイロットｐで送られたかもしれない候補値の各々について判定基準値が計算されるかもしれない。最良の判定基準値を有する値はＴＤＭパイロットｐで送られた値と宣言されるかもしれない。送信値の検出は種々の手法で実行されるかもしれない。
【００６１】
１設計において、Ｌｐ個の取得されたサンプルはＬｐ個の受信シンボルを得るためにＦＦＴにより周波数領域に変換されるかもしれない。検出される第１のＴＤＭパイロットについて
【数１０】
0005579434.tif 000011
【００６２】
として、ＴＤＭパイロットｐで送られたと仮定される異なる値ｍに対応する各仮説について、仮説の値ｍに対する１つのＰＮ系列が生成されるかもしれない。Ｌｐ個の受信シンボルは、ＰＮ系列でデスクランブルされるかもしれない。次にこのデスクランブルされたシンボルはＬｐ個のデスクランブルされたサンプルを得るためにＩＦＦＴで時間領域に逆変換されるかもしれない。検出基準値Ｅｍは仮説の値ｍについて以下のように計算されるかもしれない。
【数１１】
0005579434.tif 000012
【００６３】
ここで、ｃｊ，ｍは仮説の値ｍについてのｊ番目のデスクランブルされたサンプル、
ηは予め定められた係数である。
【００６４】
検出基準値はＴＤＭパイロットｐで送られたかもしれない
【数１２】
0005579434.tif 000013
【００６５】
個の候補値の各々について計算されるかもしれない。
【数１３】
0005579434.tif 000014
【００６６】
個の検出基準値は
【数１４】
0005579434.tif 000015
【００６７】
に対してＥｍと表されるかもしれない。最大の検出基準値を有する仮説の値が検出値Ｖｐとして宣言されるかもしれない。この値はＴＤＭパイロットｐで搬送されたＭｐ個のビットに関して送られたものと見なされる。
【００６８】
上述の検出はセクタ／システム情報のいくつかまたはすべてを搬送する後続の各ＴＤＭパイロットに対して繰り返されるかもしれない。各ＴＤＭパイロットに関して、すべての先行して検出されたＴＤＭパイロットからの検出値はそのＴＤＭパイロットで送られたビット関するすべての候補値を形成するために用いられるかもしれない。
【００６９】
図４Ａに示す設計において、ＴＤＭパイロット１で送られたＭ１個の情報ビットの検出値Ｖ１は、ＴＤＭパイロット２で送られたかもしれない
【数１５】
0005579434.tif 000016
【００７０】
個の（Ｍ１＋Ｍ２）ビットの候補値を形成するために用いられるかもしれない。ＴＤＭパイロット２に対する各候補値はＴＤＭパイロット１に対する検出値Ｖ１、およびＴＤＭパイロット２で送られたＭ２個の新しいビットについての仮説の値ｍを含む。ここで
【数１６】
0005579434.tif 000017
【００７１】
である。同様に、ＴＤＭパイロット１で送られたＭ１個の情報ビットに対する検出値Ｖ１およびＴＤＭパイロット２で送られたＭ２個の情報ビットに対する検出値Ｖ２は、ＴＤＭパイロット３で送られていたかもしれない
【数１７】
0005579434.tif 000018
【００７２】
個の候補のＭビット値を形成するために用いられるかもしれない。ＴＤＭパイロット３の各候補値はＴＤＭパイロット１に対する検出値Ｖ１、ＴＤＭパイロット２に対する検出値Ｖ２、およびＴＤＭパイロット３で送られたＭ３個の新しいビットについての仮説の値ｍを含む。ここで
【数１８】
0005579434.tif 000019
【００７３】
である。
【００７４】
図４Ｂに示す設計において、ＴＤＭパイロット２で送られたＭａ個の情報ビットに対する検出値Ｖａは、ＴＤＭパイロット３で送られたかもしれない
【数１９】
0005579434.tif 000020
【００７５】
個の候補となるＭビットの値を形成するために用いられるかもしれない。ＴＤＭパイロット３に対する各候補値はＴＤＭパイロット２に対する検出値Ｖａ、およびＴＤＭパイロット３で送られたＭｂ個の新しいビットについての仮説の値ｍを含む。ここで
【数２０】
0005579434.tif 000021
【００７６】
である。
【００７７】
各ＴＤＭパイロットｐに関しては、例えば（４）式および（５）式に示すように、ＴＤＭパイロットｐに対するすべての候補値について検出基準値が計算されるかもしれない。最大の検出基準値を有する仮説の値がＴＤＭパイロットｐの検出値として宣言されるかもしれない。
【００７８】
図７に図５に示す端末１２０における捕捉プロセッサ５６０の１設計のブロック図を示す。プロセッサ５６０内において、遅延相関器７１２は受信機５５４から受信サンプルを得て、例えば（２）式に示すようなスライディング遅延相関を実行する。ＴＤＭパイロット検出器７１４は遅延相関器７１２から相関結果Ｃｉを入力し、ＴＤＭパイロット１を検出する。ＴＤＭパイロット１の検出後に、検出器７１４はＴＤＭパイロット１の検出に用いた受信サンプルに基づいて、粗タイミングおよび周波数誤差推定値Δｆを決定する。
【００７９】
回転器７２２は周波数誤差推定値Δｆに基づいて受信サンプルを回転させ、周波数誤差を除去した回転したサンプルを出力する。セクタ／システム情報を搬送する各ＴＤＭパイロットに関して、ユニット７２４は検出器７１４からの粗タイミングに基づいて、そのＴＤＭパイロットの波形の１つ以上の複製のためのサンプルを取得するかもしれない。ユニット７２６は、例えば（４）式に示すように、取得されたサンプルに対する雑音推定値を導出する。ＦＦＴユニット７２８は取得されたサンプルにＦＦＴを実行し、受信シンボルを出力する。ＰＮ発生器７３０は検出されるＴＤＭパイロットで送られたかもしれない各候補値についてのＰＮ系列を生成する。現在検出されているＴＤＭパイロットに対するＰＮ系列は、先行して検出されたＴＤＭパイロットがある場合、それらに対する検出値に従うかもしれない。各仮説の値ｍについて、デスクランブラ７３２は受信シンボルを対応するＰＮ系列を用いてデスクランブルし、デスクランブルされたシンボルを出力する。そのＰＮ系列によりデスクランブラ７３２は受信シンボル上の変調を本質的に除去する。ローカルに生成したＰＮ系列が、検出されるＴＤＭパイロットで送られるＰＮ系列でない場合、デスクランブルされたシンボルは雑音を大部分含む。ＩＦＦＴユニット７３４はデスクランブルされたシンボルにＩＦＦＴを実行し、デスクランブルされたサンプルｃｊ，ｍを出力する。
【００８０】
ユニット７３６は、例えば（５）式に示すように、デスクランブルされたサンプルおよび雑音推定値に基いて各仮説の値ｍについて検出基準値Ｅｍを計算する。検出器７３８は検出されるＴＤＭパイロットで送られたかもしれないすべての候補値に対する検出基準値Ｅｍを入力する。検出器７３８は、最大の検出基準値を有する仮説の値を特定し、この値を検出されるＴＤＭパイロットに対する検出値Ｖｐとして出力する。ＰＮ発生器７３０は検出器７３８から検出値Ｖｐを入力し、この値を検出されるべき次のＴＤＭパイロットに対するＰＮ系列を生成するために用いるかもしれない。すべてのＴＤＭパイロットの検出後に、検出器７３８は復元したセクタ／システム情報として最終的な検出値を出力する。
【００８１】
図７は、ＴＤＭパイロットの検出を実行するための１設計を示している。別の設計において、与えられたＴＤＭパイロットの取得されたサンプルはそのＴＤＭパイロットに関する送られたかもしれない各候補波形と相関を取られる。異なる候補波形はそのＴＤＭパイロットに対する異なる仮説の値に基づいて生成されるかもしれない。最大の相関結果を有する仮説の値がそのＴＤＭパイロットに対する検出値として出力されるかもしれない。ＴＤＭパイロットの検出は他の手法でも実行されるかもしれない。
【００８２】
すべてのＴＤＭパイロットの検出後に、高精度タイミングおよび／または高精度周波数誤差推定値を導出するために１つ以上のＴＤＭパイロットが用いられるかもしれない。この高精度タイミングおよび／または高精度周波数誤差推定値に基づいてＯＦＤＭシンボルが受信され、処理されるかもしれない。
【００８３】
図８にＴＤＭパイロットを送るために基地局で実行されるプロセス８００の１設計を示す。複数のパイロットで送られる情報に対するビットの複数の異なるセットであって、各セットが送られる情報のいくつかまたはすべてのビットを含むセット、に基づいて複数のパイロットが生成されるかもしれない（ブロック８１２）。送られる情報はセクタ固有の情報、システム情報などを含むかもしれない。複数のパイロットは複数の期間に連続した順番で送られるかもしれない（ブロック８１４）。
【００８４】
階層的パイロット構造において、例えば図４Ａおよび４Ｂに示すように、複数のパイロットが、ビットの重複したセットを搬送するかもしれない。各パイロットで送られたビットのセットは、先行して送信されたパイロットがあればそれらで送られたビット、およびまだ送られていない追加のビットを含むかもしれない。２レベルの階層的パイロット構造において、第１のパイロットは情報に対するいくつかのビットに基づいて生成されるかもしれない。また、第２のパイロットは情報に対するすべてのビットに基づいて生成されるかもしれない。３レベルの階層的パイロット構造において、第１のパイロットはビットの第１のセットに基づいて生成されるかもしれない。また第１のセットを含むかもしれない第２のパイロットはビットの第２のセットに基づいて生成されるかもしれない。また第３のパイロットは情報に対するすべてのビットに基づいて生成されるかもしれない。非階層的パイロット構造において、複数のパイロットは図４Ｃに示すように情報に対するビットの非重複セットを搬送するかもしれない。
【００８５】
各パイロットについて、ＰＮ系列はそのパイロットで送られるビットのセットに基づいて生成されるかもしれない。そのＰＮ系列に基づいてパイロットシンボルが生成され、パイロットに用いられる副搬送波にマッピングされるかもしれない。このマッピングされたパイロットシンボルはそのパイロットのサンプルの系列を得るため変換されるかもしれない。与えられたパイロットは波形の１または複数の複製を含むかもしれない。
【００８６】
図９にＴＤＭパイロットを送るための装置９００の１設計を示す。装置９００は複数のパイロットで送られる情報に対するビットの複数の異なるセットであって、各セットが送られる情報のいくつかまたはすべてのビットを含むセット、に基づいて複数のパイロットを生成するための手段（モジュール９１２）と、複数の期間にその複数のパイロットを順番に送るための手段（モジュール９１４）とを含む。
【００８７】
図１０にＴＤＭパイロットを受信するために端末により実行されるプロセス１０００の１設計を示す。複数のパイロットは複数の期間に受信されるかもしれない（ブロック１０１２）。複数のパイロットはそのパイロットで送られた情報に対するビットの複数の異なるセットであって、各セットがその情報のいくつかまたはすべてを含むセット、を搬送するかもしれない。複数のパイロットの各々で送られたビットの１セットを復元するために検出が実行されるかもしれない（ブロック１０１４）。
【００８８】
階層的パイロット構造において、各パイロットの検出は、その検出されるパイロットで送られたビットのセットに対する検出値を得るために、先行して検出されたパイロットに対する検出値がある場合それらに基づいて実行されるかもしれない。２レベルの階層的パイロット構造において、第１のパイロットで送られたビットの第１のセットに対する第１の検出値を得るために、第１のパイロットの検出が実行されるかもしれない。情報のすべてのビットに対する第２の検出値を得るために、第１の検出値に基づいて第２のパイロットの検出が実行されるかもしれない。３レベルの階層的パイロット構造において、第１のパイロットで送られたビットの第１のセットに対する第１の検出値を得るために、第１のパイロットの検出が実行されるかもしれない。第２のパイロットで送られたビットの第２のセットに対する第２の検出値を得るために、第１の検出値に基づいて第２のパイロットの検出が実行されるかもしれない。ここで第２のセットは第１のセットを含むかもしれない。情報のすべてのビットに対する第３の検出値を得るために、第１および第２の検出値に基づいて第３のパイロットの検出が実行されるかもしれない。非階層的パイロット構造において、各パイロットに対して、そのパイロットで送られたビットのセットに対する検出値を得るために、検出が独立に実行されるかもしれない。
【００８９】
各パイロットにおいて、検出基準値はそのパイロットに対する複数の仮説の値の各々に対して決定されるかもしれない。最大の検出基準値を有する仮説の値が、そのパイロットで送られたビットのセットに対する検出値として出力されるかもしれない。検出されるパイロットに対する各仮説の値は、（ｉ）先行して検出されたパイロットがある場合それらに対する検出値の第１の部分、および（ｉｉ）検出されるパイロットで送られた追加ビットに対する未知の値に関する第２の部分とを含むかもしれない。
【００９０】
１設計において、検出されるパイロットに対する取得されたサンプルに基づいて雑音推定値が導出されるかもしれない。複数のＰＮ系列がパイロットに対する複数の仮説の値に対して生成されるかもしれない。取得されたサンプルは、デスクランブルされたサンプルの複数の系列を得るために、複数のＰＮ系列に基づいて（例えば時間領域でまたは周波数領域で）デスクランブルされるかもしれない。周波数領域のデスクランブルの場合、取得されたサンプルは受信シンボルを得るために周波数領域へ変換されるかもしれない。受信シンボルの変調は各仮説の値に対するＰＮ系列に基づいて除去され、その仮説の値に対するデスクランブルされたシンボルを得るかもしれない。各仮説の値に対するデスクランブルされたシンボルは時間領域に逆変換されその仮説の値に対するデスクランブルされたサンプルの系列を得るかもしれない。複数のデスクランブルされたサンプルと雑音推定値に基づいて複数の仮説の値について複数の検出基準値が導出されるかもしれない。例えば、各デスクランブルされたサンプルのエネルギーが計算されるかもしれない。次に、（５）式に示すように、各仮説の値について、デスクランブルされたサンプルと雑音推定値の系列に対するエネルギーに基づいて検出基準値が計算されるかもしれない。
【００９１】
図１１にＴＤＭパイロットを受信するための装置１１００の１設計を示す。装置１１００は複数の期間に複数のパイロットを受信するための手段（モジュール１１１２）、および複数のパイロットの各々で送られたビットの１セットを復元するために検出を実行するための手段（モジュール１１１４）とを含み、その複数のパイロットはそのパイロットで送られた情報のビットの複数の異なるセットであって、各セットが情報のいくつかまたはすべてのビットを含むセット、を搬送する。
【００９２】
図９のモジュール９１２および９１４並びに図１１のモジュール１１１２および１１１４はプロセッサ、電子デバイス、ハードウェアデバイス、エレクトロニクス部品、論理回路、メモリー等、またはそれらの任意の組合せを含むかもしれない。
【００９３】
ここに説明した技術は種々の手段で実施されるかもしれない。例えば、本技術はハードウェア、ファームウェア、ソフトウェア、またはそれらの組合せで実施されるかもしれない。ハードウェアの実施において、与えられたエンティティ（例えば基地局または端末）の処理ユニットは１つ以上の特定用途向ＩＣ（ＡＳＩＣ）、ディジタル信号プロセッサ（ＤＳＰ）、ディジタル信号処理デバイス（ＤＳＰＤ）、プログラマブル論理デバイス（ＰＬＤ）、フィールドプログラマブルゲートアレイ（ＦＰＧＡ）、プロセッサ、制御器、マイクロ制御器、マイクロプロセッサ、電子デバイス、ここに説明した機能を実行するように設計された他の電子ユニット、計算機、またはそれらの組合せの中で実施されるかもしれない。
【００９４】
ファームウェアおよび／またはソフトウェアの実施において、本技術は、ここに説明した機能を実行するモジュール（例えば、手順、機能など）で実施されるかもしれない。ファームウェアおよび／またはソフトウェア命令は、メモリー（例えば、図５のメモリー５３２または５８２）に格納され、プロセッサ（例えば、プロセッサ５３０または５８０）によって実行されるかもしれない。このメモリーは、プロセッサ内またはプロセッサの外部で実施されるかもしれない。また、ファームウェアおよび／またはソフトウェア命令は、ランダムアクセスメモリー（ＲＡＭ）、読出し専用メモリー（ＲＯＭ）、不揮発性ランダムアクセスメモリー（ＮＶＲＡＭ）、プログラマブル読出し専用メモリー（ＰＲＯＭ）、電気的消去可能ＰＲＯＭ（ＥＥＰＲＯＭ）、フラッシュメモリー、コンパクトディスク（ＣＤ）、磁気または光データ記憶装置、等のような他のプロセッサ可読媒体内に格納されるかもしれない。
【００９５】
本開示のこれまでの説明は、いかなる当業者も本開示を製造しまたは使用することを可能にするように提供されている。本開示への種々の変形は当業者に容易に明らかになるだろう。また、ここに定義した一般的原理は本開示の精神または範囲から逸脱することなく他の変形例に適用されるかもしれない。したがって、本開示は、ここに示した例および設計に制限されることを意図されていず、ここに開示した原理および新規な特徴に矛盾しない最も広い範囲と一致するということである。
付記
［１］  複数のパイロットで送られる情報に対するビットの複数の異なるセットであって、各セットは送られる前記情報のいくつかまたはすべてのビットを含むセットに基づいて複数のパイロットを生成するように、および複数の時間間隔に前記複数のパイロットを送るように構成された少なくとも１つのプロセッサと、前記少なくとも１つのプロセッサに接続されたメモリーとを含む装置。
［２］  複数のパイロットが、順番に送られ、および情報に対するビットの複数の重複しているセットであって、各パイロットに対するビットのセットが先行して送られたパイロットがある場合それらに対するビットと、未だ送られていない少なくとも１つの追加ビットとを含むセットを搬送する、［１］に記載の装置。
［３］  複数のパイロットが情報に対するビットの非重複セットを搬送する、［１］に記載の装置。
［４］  少なくとも１つのプロセッサが、情報に対するビットのいくつかに基づいて第１のパイロットを生成するように、情報に対するビットのすべてに基づいて第２のパイロットを生成するように、および第１および第２のパイロットをそれぞれ第１および第２の時間間隔に送るように構成された、［１］に記載の装置。
［５］  少なくとも１つのプロセッサが、情報に対するビットの第１のセットに基づいて第１のパイロットを生成するように、情報に対するビットの第２のセットであって第１のセットを含むセットに基づいて第２のパイロットを生成するように、情報に対するビットのすべてに基づいて第３のパイロットを生成するように、および第１、第２および第３のパイロットをそれぞれ第１、第２および第３の時間間隔に送るように構成された［１］に記載の装置。
［６］  情報が１２ビットを含み、第１のセットが２ビットを含み、および第２のセットが８ビットを含みかつ第１のセットの２ビットを含む、［５］に記載の装置。
［７］  少なくとも１つのプロセッサが、各パイロットに対して、前記パイロットで送られるビットのセットに基づいて擬似乱数（ＰＮ）系列を生成するように、および前記パイロットに対する前記ＰＮ系列に基づいて各パイロットを生成するように構成された、［１］に記載の装置。
［８］  複数のパイロットの各々に対し、少なくとも１つのプロセッサが、前記パイロットで送られるビットのセットに基づいて擬似乱数（ＰＮ）系列を生成するように、前記ＰＮ系列に基づいてパイロットシンボルを生成するように、前記パイロットシンボルを前記パイロットに用いられる副搬送波にマッピングするように、および前記マッピングされたパイロットシンボルを前記パイロットに対するサンプルの系列を得るために変換するように構成された、［１］に記載の装置。
［９］  複数のパイロットの中で時間的に最初に送られた１つのパイロットが１つの波形の複数の複製を含む、［１］に記載の装置。
［１０］  複数のパイロットの各々が、複数の時間間隔のそれぞれ１つで送られた時分割多重（ＴＤＭ）パイロットである、［１］に記載の装置。
［１１］  複数のパイロットで送られる情報が、セクタ固有の情報、またはシステム情報、または双方を含む、［１］に記載の装置。
［１２］  複数のパイロットで送られる情報に対するビットの複数の異なるセットであって、前記セットの各々が送られる前記情報のいくつかまたはすべてのビットを含むセットに基づいて複数のパイロットを生成することと、複数の時間間隔に前記複数のパイロットを送ることとを含む方法。
［１３］  複数のパイロットを生成することが、情報に対するビットのいくつかに基づいて第１のパイロットを生成することと、情報に対するビットのすべてに基づいて第２のパイロットを生成することとを含む、［１２］に記載の方法。
［１４］  複数のパイロットを生成することが、情報に対するビットの第１のセットに基づいて第１のパイロットを生成することと、情報に対するビットの第２のセットであって第１のセットを含むセットに基づいて第２のパイロットを生成することと、情報に対するビットのすべてに基づいて第３のパイロットを生成することとを含む、［１２］に記載の方法。
［１５］  複数のパイロットを生成することが、各パイロットに対して、前記パイロットで送られるビットのセットに基づいて擬似乱数（ＰＮ）系列を生成することと、前記パイロットに対する前記ＰＮ系列に基づいて各パイロットを生成すること  とを含む、［１２］に記載の方法。
［１６］  複数のパイロットで送られる情報に対するビットの複数の異なるセットであって、前記セットの各々が送られる前記情報のいくつかまたはすべてのビットを含むセットに基づいて複数のパイロットを生成するための手段と、複数の時間間隔に前記複数のパイロットを送るための手段とを含む装置。
［１７］  複数のパイロットを生成するための手段が、情報に対するビットのいくつかに基づいて第１のパイロットを生成するための手段と、情報に対するビットのすべてに基づいて第２のパイロットを生成するための手段とを含む、［１６］に記載の装置。
［１８］  複数のパイロットを生成するための手段が、情報に対するビットの第１のセットに基づいて第１のパイロットを生成するための手段と、情報に対するビットの第２のセットであって第１のセットを含むセットに基づいて第２のパイロットを生成するための手段と、情報に対するビットのすべてに基づいて第３のパイロットを生成するための手段とを含む、［１６］に記載の装置。
［１９］  複数のパイロットを生成するための手段が、各パイロットに対して、前記パイロットで送られるビットのセットに基づいて擬似乱数（ＰＮ）系列を生成するための手段と、前記パイロットに対する前記ＰＮ系列に基づいて各パイロットを生成するための手段とを含む、請求上１６］に記載の装置。
［２０］  プロセッサ可読媒体であって、その上に格納された命令を含み、複数のパイロットで送られる情報に対するビットの複数の異なるセットであって、前記セットの各々が送られる前記情報のいくつかまたはすべてのビットを含むセットに基づいて複数のパイロットを生成するための第１の命令セットと、複数の時間間隔に前記複数のパイロットを送るための第２の命令セットとを含む、プロセッサ可読媒体。
［２１］  第１の命令セットが、情報に対するビットのいくつかに基づいて第１のパイロットを生成するための第３の命令セットと、情報に対するビットのすべてに基づいて第２のパイロットを生成するための第４の命令セットとを含む、［２０］に記載のプロセッサ可読媒体。
［２２］  第１の命令セットが、情報に対するビットの第１のセットに基づいて第１のパイロットを生成するための第３の命令セットと、情報に対するビットの第２のセットであって第１のセットを含むセットに基づいて第２のパイロットを生成するための第４の命令セットと、情報に対するビットのすべてに基づいて第３のパイロットを生成するための第５の命令セットとを含む、［２０］に記載のプロセッサ可読媒体。
［２３］  複数の時間間隔に複数のパイロットを受信し、前記複数のパイロットが前記パイロットがパイロットで送られた情報に対するビットの複数の異なるセットを搬送し、前記セットの各々が前記情報のいくつかまたはすべてを含み、および前記複数のパイロットの各々で送られたビットのセットを復元するための検出を実行するように構成された少なくとも１つのプロセッサと、前記少なくとも１つのプロセッサに接続されたメモリーとを含む装置。
［２４］  少なくとも１つのプロセッサが、第１のパイロットで送られたビットの第１のセットに対する第１の検出値を得るために第１のパイロットの検出を実行するように、および情報のすべてのビットに対する第２の検出値を得るために第１の検出値に基づいて第２のパイロットの検出を実行するように構成された、［２３］に記載の装置。
［２５］  少なくとも１つのプロセッサが、第１のパイロットで送られたビットの第１のセットに対する第１の検出値を得るために第１のパイロットの検出を実行するように、第２のパイロットで送られたビットの第２のセットであって第１のセットを含むセットに対する第２の検出値を得るために第１の検出値に基づいて第２のパイロットの検出を実行するように、および情報のすべてのビットに対する第３の検出値を得るために第１および第２の検出値に基づいて第３のパイロットの検出を実行するように構成された、［２３］に記載の装置。
［２６］  少なくとも１つのプロセッサが、複数のパイロットの各々の検出を、検出されるパイロットで送られたビットのセットに対する検出値を得るために、先行して検出されたパイロットがある場合それら検出値に基づいて、実行するように構成された［２３］に記載の装置。
［２７］  複数のパイロットの各々に対し、少なくとも１つのプロセッサが、前記パイロットに対する複数の仮説の値の各々についての検出基準値を決定するように、および最大検出基準値に関係する仮説の値を前記パイロットで送られたビットのセットに対する検出値として出力するように構成された、［２３］に記載の装置。
［２８］  検出されるパイロットに対する各仮説の値が、先行して検出されたパイロットがある場合それらの検出値に関する第１の部分と、検出されるパイロットで送られた少なくとも１つの追加ビットに対する未知の値に関する第２の部分とを含む、［２７］に記載の装置。
［２９］  複数のパイロットの各々に対し、少なくとも１つのプロセッサが、前記パイロットに対する取得サンプルに基づいて雑音推定値を導出するように、前記パイロットに対する複数の仮説の値について複数の擬似乱数（ＰＮ）系列を生成するように、前記複数の仮説の値に対するデスクランブルされたサンプルの複数の系列を得るために前記取得サンプルを前記複数のＰＮ系列に基づいてデスクランブルするように、デスクランブルされたサンプルの前記複数の系列および前記雑音推定値に基づいて前記複数の仮説の値についての複数の検出基準値を導出するように、および最大検出基準値に関係する仮説の値を前記パイロットで送られたビットのセットに対する検出値として出力するように構成された、［２３］に記載の装置。
［３０］  複数のパイロットの各々に対し、少なくとも１つのプロセッサが、受信シンボルを得るために、取得されたサンプルを周波数領域へ変換するように、仮説の値の各々についてのＰＮ系列に基づいて、前記仮説の値に対するデスクランブルされたシンボルを得るために、前記受信シンボルの変調を除去するように、および各仮説の値についてのシンボルを、前記仮説の値に対するデスクランブルされたサンプルの系列を得るために、変換するように構成された、［２９］に記載の装置。
［３１］  仮説の値に対する検出基準値を導出するために、少なくとも１つのプロセッサが、前記仮説の値に対するデスクランブルされたサンプルの系列内の各デスクランブルされたサンプルのエネルギーを計算するように、およびデスクランブルされた値の前記系列に関するエネルギーおよび雑音推定値に基づいて前記検出基準値を計算するように構成された、［２９］に記載の装置。
［３２］  複数の時間間隔に複数のパイロットを受信し、前記複数のパイロットはパイロット送られた情報に対するビットの複数の異なるセットを搬送し、前記セットの各々が前記情報のいくつかまたはすべてを含んでいることと、前記複数のパイロットの各々で送られたビットの１セットを復元するための検出を実行することとを含む方法。
［３３］  検出を実行することが、第１のパイロットで送られたビットの第１のセットに対する第１の検出値を得るために第１のパイロットの検出を実行することと、情報のすべてのビットに対する第２の検出値を得るために第１の検出値に基づいて第２のパイロットの検出を実行することとを含む、［３２］に記載の方法。
［３４］  検出を実行することが、第１のパイロットで送られたビットの第１のセットに対する第１の検出値を得るために第１のパイロットの検出を実行することと、第２のパイロットで送られたビットの第２のセットであって第１のセットを含むセットに対する第２の検出値を得るために第１の検出値に基づいて第２のパイロットの検出を実行することと、情報のすべてのビットに対する第３の検出値を得るために第１および第２の検出値に基づいて第３のパイロットの検出を実行することとを含む、［３２］に記載の装置。
［３５］  検出を実行することが、複数のパイロットの各々に対し、前記パイロットに対する複数の仮説の値の各々についての検出基準値を決定することと、最大検出基準値に関係する仮説の値を前記パイロットで送られたビットのセットに対する検出値として出力することとを含む、［３２］に記載の装置。
［３６］  複数の時間間隔に複数のパイロットを受信し、前記複数のパイロットはパイロットで送られた情報に対するビットの複数の異なるセットを搬送し、前記セットの各々が前記情報のいくつかまたはすべてを含んでいる手段と、前記複数のパイロットの各々で送られたビットの１セットを復元するための検出を実行するための手段とを含む装置。
［３７］  検出を実行するための手段が、第１のパイロットで送られたビットの第１のセットに対する第１の検出値を得るために第１のパイロットの検出を実行するための手段と、情報のすべてのビットに対する第２の検出値を得るために第１の検出値に基づいて第２のパイロットの検出を実行するための手段とを含む、［３６］に記載の装置。
［３８］  検出を実行するための手段が、第１のパイロットで送られたビットの第１のセットに対する第１の検出値を得るために第１のパイロットの検出を実行するための手段と、第２のパイロットで送られたビットの第２のセットであって第１のセットを含むセットに対する第２の検出値を得るために第１の検出値に基づいて第２のパイロットの検出を実行するための手段と、情報のすべてのビットに対する第３の検出値を得るために第１および第２の検出値に基づいて第３のパイロットの検出を実行するための手段とを含む、［３６］に記載の装置。
［３９］  検出を実行するための手段が、複数のパイロットの各々に対し、前記パイロットに対する複数の仮説の値の各々についての検出基準値を決定するための手段と、最大検出基準値に関係する仮説の値を前記パイロットで送られたビットのセットに対する検出値として出力するための手段とを含む、［３６］に記載の装置。
［４０］  プロセッサ可読媒体であって、その上に格納された命令を含み、複数の時間間隔に複数のパイロットを受信し、前記複数のパイロットが前記パイロットで送られた情報に対するビットの複数の異なるセットを搬送し、前記セットの各々が前記情報のいくつかまたはすべてを含んでいる第１の命令と、前記複数のパイロットの各々で送られたビットの１セットを復元するための検出を実行するための第２の命令セットとを含む、プロセッサ可読媒体。
【図面の簡単な説明】
【００９６】
【図１】無線通信システムを示す図。
【図２】本発明の、スーパーフレーム構造およびプリアンブル構造の設計を示す図。
【図３】本発明の、周波数領域におけるＴＤＭパイロット１、２および３の設計を示す図。
【図４Ａ】本発明の、３レベルの階層的パイロット構造の設計を示す図。
【図４Ｂ】本発明の、２レベルの階層的パイロット構造の設計を示す図。
【図４Ｃ】本発明の、３レベルの非階層的パイロット構造の設計を示す図。
【図５】本発明の、基地局および端末のブロック図。
【図６】本発明の、基地局の送信（ＴＸ）パイロットプロセッサおよび変調器のブロック図。
【図７】本発明の、端末の捕捉プロセッサのブロック図。
【図８】本発明の、ＴＤＭパイロットを送るために基地局により実行されるプロセスを示す図。
【図９】本発明の、ＴＤＭパイロットを送るための装置を示す図。
【図１０】本発明の、ＴＤＭパイロットを受信するために端末により実行されるプロセスを示す図。
【図１１】本発明の、ＴＤＭパイロットを受信するための装置を示す図。
【図１】
0005579434.tif 000022
【図２】
0005579434.tif 000023
【図３】
0005579434.tif 000024
【図４Ａ】
0005579434.tif 000025
【図４Ｂ】
0005579434.tif 000026
【図４Ｃ】
0005579434.tif 000027
【図５】
0005579434.tif 000028
【図６】
0005579434.tif 000029
【図７】
0005579434.tif 000030
【図８】
0005579434.tif 000031
【図９】
0005579434.tif 000032
【図１０】
0005579434.tif 000033
【図１１】
0005579434.tif 000034